(57)【要約】【課題】少ない数の光源によって光を鉢面の広い範囲に十分に照射することが可能な便器を提供する。【解決手段】リモコン等の便器洗浄スイッチを操作すると、所定時間給水制御弁が開弁し、放水路４から洗浄水が流出し、鉢面に旋回流Ｓが形成される。この放水路４から洗浄水が流出している間、光源６から光が出射する。この光は、放水路４及び棚状水路５を流れている洗浄水並びに鉢面に沿って流下している洗浄水内を導波し、鉢面の広い範囲に光が十分に照射される。この光は、紫外線であってもよく、可視光であってもよい。【選択図】図１
2007023689.tif 000002
【特許請求の範囲】
【請求項１】
鉢を洗浄するための洗浄水を流す流路を有する便器において、
該流路のうち外部から隠蔽される位置に光源が設けられており、該光源からの光が該流路を流れる水に導波されて鉢内に照射可能とされていることを特徴とする便器。
【請求項２】
請求項１において、該便器は洋風便器であり、前記流路はリム又はリムの上流側部分であることを特徴とする便器。
【請求項３】
請求項２において、該便器は、前記リムからの流出水によって鉢内に旋回流が形成されるようにリムからの水の流出方向が一方向となっているものであることを特徴とする便器。
【請求項４】
請求項１ないし３のいずれか１項において、少なくとも前記流路に洗浄水が流れているときに前記光源から光を出射させる光源制御手段を備えたことを特徴とする便器。
【発明の詳細な説明】
【技術分野】
【０００１】
本発明は便器に係り、特に紫外線、可視光などの光を出射する光源を備えた便器に関する。
【背景技術】
【０００２】
洋風便器の鉢面に光触媒層を設けると共に、便座内やリムの下面にランプを設け、このランプからの光を光触媒層に照射することにより、便器への汚物残留を防止することが特開平１１−２９９６８９号に記載されている。
【特許文献１】特開平１１−２９９６８９号
【発明の開示】
【発明が解決しようとする課題】
【０００３】
上記特開平１１−２９９６８９号において、便座にランプを設けたときには、リムが影になり、リム直下の鉢面に光が当りにくい。
【０００４】
また、同号においてリムの下面にランプを設けた場合、鉢面の全体に光を万遍なく当てるようにするためには、ランプの数を増やしたり、ランプとしてリム内縁形状に倣った湾曲したものを用いたりする必要があり、コスト高である。
【０００５】
本発明は、上記従来の問題点を解決し、少ない数の光源によって光を鉢面の広い範囲に十分に照射することが可能な便器を提供することを目的とする。
【課題を解決するための手段】
【０００６】
請求項１の便器は、鉢を洗浄するための洗浄水を流す流路を有する便器において、該流路のうち外部から隠蔽される位置に光源が設けられており、該光源からの光が該流路を流れる水に導波されて鉢内に照射可能とされていることを特徴とするものである。
【０００７】
請求項２の便器は、請求項１において、該便器は洋風便器であり、前記流路はリム又はリムの上流側部分であることを特徴とするものである。
【０００８】
請求項３の便器は、請求項２において、該便器は、前記リムからの流出水によって鉢内に旋回流が形成されるようにリムからの水の流出方向が一方向となっているものであることを特徴とするものである。
【０００９】
請求項４の便器は、請求項１ないし３のいずれか１項において、少なくとも前記流路に洗浄水が流れているときに前記光源から光を出射させる光源制御手段を備えたことを特徴とするものである。
【発明の効果】
【００１０】
本発明の便器にあっては、洗浄水流路を流すための流路に紫外線光源を設け、この光源からの光を洗浄水内に導波させるようにしているので、光源の数が少なくても鉢面の広い範囲に十分に光を照射することができる。この光によって防汚作用を奏することも可能である。また可視光が鉢洗浄水に光のゆらめきを与え、独得の美感を醸成することも可能である。
【００１１】
この便器では、光源を外部から隠蔽される位置に設けているので、美観に優れる。
【００１２】
本発明において、光源をリム又はその上流側部分に設けた場合には、清掃用具が当って損壊することも防止される。
【００１３】
この場合、リムは鉢内に旋回流を形成するように設けられていることが好ましい。リムからの洗浄水に光源からの光が導波しているので、旋回流が鉢面を覆うように流れることにより鉢面のきわめて広い範囲に十分に光を照射することができる。
【００１４】
洗浄水中に光を導波させるために、少なくとも洗浄水が流れているときに光源から光を出射させる光源制御手段を設けることが望ましい。ただし、光源は連続的に光を出射するものであってもよい。
【発明を実施するための最良の形態】
【００１５】
以下、図面を参照して実施の形態について説明する。図１（ａ）は実施の形態に係る便器の斜視図、図１（ｂ），（ｃ）は同（ａ）のＢ−Ｂ線、Ｃ−Ｃ線断面図である。
【００１６】
この便器１は洋風便器であり鉢２の上縁にリム３が周回するように設けられている。
【００１７】
鉢面に洗浄水を流し出すために、リム３の右側の後部に空洞状の放水路４が設けられると共に、この放水路４に引き続いて棚段形の棚状水路５が設けられている。この棚状水路５は、リム３の右側から鉢２の前部を回り、さらに左側のリム３にまで延在している。従って、放水路４から棚状水路５に洗浄水が流出すると、棚状水路５から水がこぼれ落ちるように鉢面に流下し、これにより鉢２内に旋回流Ｓが形成される。
【００１８】
この空洞状放水路４内に光源６が設けられている。この光源６としては、リード線の先端にＬＥＤを設けたものであってもよく、光ファイバーであってもよい。光ファイバーの場合は、好ましくは、光ファイバーの先端が放水路４内における棚状水路５側の端部直近に位置され、後端がＬＥＤなどの発光体に接続される。
【００１９】
リード線の先端にＬＥＤを設けた場合には、このＬＥＤを放水路４内における棚状水路５側の端部直近に位置させるのが好ましい。
【００２０】
このリード線や光ファイバーは、便座ボックス７内に引き込まれている。この便座ボックス７には、ＬＥＤへの給電回路や、光ファイバー末端の発光体及びそれへの給電制御回路などが設置されている。
【００２１】
この便座ボックス７内には、人体臀部洗浄用の温水洗浄装置や温風ファン、脱臭ファンなどの各種機器が設置されている。また、便座ボックス７には便器及び便蓋（いずれも図示略）が上下方向回動可能に取り付けられている。
【００２２】
この実施の形態では、便座ボックス７内又は便器１の後方部に、放水路４への給水制御弁と、この給水制御弁の制御回路（いずれも図示略）が設けられている。トイレルーム壁面の設けられたリモコン等に設けられた便器洗浄スイッチを操作すると、給水制御弁が所定時間開弁し、鉢２に洗浄水が供給される。
【００２３】
この実施の形態ではこの給水制御弁が開弁している間、上記光源６から光が出射する。
【００２４】
このように構成された便器１において、上記のようにリモコン等の便器洗浄スイッチを操作すると、所定時間給水制御弁が開弁し、放水路４から棚状水路５へ洗浄水が流出し、鉢面に旋回流Ｓが形成される。この放水路４から洗浄水が流出している間、光源６から光が出射する。この光は、放水路４及び棚状水路５を流れている洗浄水並びに鉢面に沿って流下している洗浄水内を導波し、棚状水路５及び鉢面の広い範囲に光が十分に照射される。光が紫外線である場合には、この紫外線により、鉢面等の防汚作用が奏される。なお、鉢面等に光触媒を保持させておいてもよい。このようにすれば光が可視光の場合であっても光触媒作用によって防汚作用を奏することができる。
【００２５】
光源からの光が可視光の場合、棚状水路５から流下し鉢面に沿って旋回している水の表面から光が出射し、光のゆらめきが感取され、独得の美観を醸し出すことも可能である。
【００２６】
この実施の形態では、光源６は放水路４内に配置されており、外部からは見えないので、美観に優れると共に、清掃用具などが当って損壊することも防止される。
【００２７】
この実施の形態では、光源６は単に放水路４内に差し込まれるようにして設置されており、紫外線光源設置部を便器１に設けることが不要である。そのため、既存品番の片回り洗浄式洋風便器であってもこの実施の形態を適用することが可能である。
【００２８】
ただし、本発明では、陶磁器製の便器に孔を設け、この孔から光ファイバやリード線を差し込むようにして光源を設置してもよい。
【００２９】
上記実施の形態では片回り式の洋風便器となっているが、便器の左右両側から洗浄水を供給するタイプの便器であってもよい。この場合左右両側にそれぞれ光源を設けるのが好ましい。
【００３０】
本発明は小便器にも適用可能である。この場合、例えば小便器上部の洗浄水分配水路内に光源を設けてもよい。
【図面の簡単な説明】
【００３１】
【図１】図１（ａ）は実施の形態に係る便器の斜視図、図１（ｂ），（ｃ）は同（ａ）のＢ−Ｂ線、Ｃ−Ｃ線断面図である。
【符号の説明】
【００３２】
１  便器
４  放水路
５  棚状水路
６  光源
【図１】
2007023689.tif 000003